(57)【要約】【課題】顧客が複数の投票カードで投票券を購入する場合でも、購入する投票券１枚１枚の内容を容易にかつ確実に確認することができるようにする。【解決手段】装置筐体の前面部のパネル部に投票券を購入するための投票カードを複数枚まとめて挿入可能な挿入口が設けられており、この挿入口から複数の投票券カードをまとめて挿入すると、顧客用表示画面では、これら投票券カード毎にその内容を示す投票券情報画面３２１，３２３，……が順に並んだスクロールしながら現われる購入賭式画面３２０が表示される。これら投票券情報画面３２１，３２３，……では夫々、指定された賭式が全て同じ大きさの文字などで表わされ、このため、各投票券情報画面３２１，３２３，……は、顧客によって指定された賭式の個数に応じてサイズが異なっている。【選択図】図２５
2006313577.tif 000002
【特許請求の範囲】
【請求項１】
装置筐体の前面部に、投票券の購入や的中投票券の払戻しを行なうためのパネル部と該投票券の購入過程を表示する顧客用表示画面とを備えた自動発払機において、
該パネル部に、該投票券を購入するための投票カードを複数枚まとめて挿入可能な挿入口を設けるとともに、
該挿入口から挿入された複数の該投票カードでの投票券の情報を読み取る投票カード読取部と、
１枚の該投票カードから読み取られた該投票券の情報を１つの画面にまとめて投票券情報画面とし、該挿入口から挿入された複数の該投票カードに対する該投票券情報画面の配列を該顧客用表示画面でスクロール表示させる制御部と
設けたことを特徴とする自動発払機。
【請求項２】
請求項１において、
前記制御部は、前記スクロール表示により、これまで表示されていなかった次の配列順序となる前記投票カードに対する前記投票券情報画面を前記顧客用表示画面に表示させることを特徴とする自動発払機。
【請求項３】
請求項２において、
前記制御部は、前記投票券情報画面をスクロールして１つの投票券情報画面の全体が表示される状態となるとき、スクロールを停止した状態で表示することを特徴とする自動発払機。
【発明の詳細な説明】
【技術分野】
【０００１】
本発明は、競艇場などの公営競技場や場外発券売場などに設置される自動発払機に係り、特に、その操作のための画面表示方法に関する。
【背景技術】
【０００２】
競艇場やその場外発券売場などでは、投票券の販売（発券）や的中した投票券（的中投票券）の払戻しのために、顧客の操作によってこれを行なうことができるようにした自動発券機や自動払戻し機が設けられているが、かかる販売や払戻しをともに行なうことができるようにした自動発払機も提案されている。
【０００３】
その一例としては、その正面パネルに貨幣の挿入口，払出口、マークカードや投票券の挿入口，投票券の排出口とともに、表示部や顧客の操作のための各種操作ボタンを有する操作部が設けられており、表示部７で表示される案内情報に従って、所定金額の貨幣を投入し、マークカードを挿入し、操作部で所定の操作をすることにより、このマークカードで指定した内容の投票券を取得することができ、また、表示部７で表示される案内情報に従って、的中投票券を挿入し、顧客が操作部で所定の操作を行なうことにより、その払戻金を受け取ることができるようにしている。また、表示部７で表示される案内情報に従って、的中投票券と他のレースのマークカードとを挿入し、操作部で所定の操作を行なうことにより、このレースの投票券を的中投票券で購入できるようにもしている（例えば、特許文献１参照）。
【０００４】
他の例としては、各レース毎に人気番号でよってではあるが、投票シートを投票券発券機で読み取らせることで投票券を取得できるようにしたシステムが提案されている（例えば、特許文献２参照）。
【０００５】
この特許文献２に記載のシステムは、各レース毎にその日の賭式（単勝，枠連，馬連）毎の人気番号とそのオッズを表わす投票情報データベースを有する投票情報管理センタと、競馬場やその場外馬券売場に設置されている勝馬投票券発券機とからなるものであって、この勝馬投票券発券機は、投票カードを読み取るカードリーダやディスプレイ，投票券印刷機構，投票券の発券処理を行なうための投票券発券プログラムを備えている。このカードリーダでレース番号，賭式及び人気番号を指定した投票シートを読み取ると、勝馬投票券発券機はこの投票カードのかかる指定情報で投票情報管理センタに問い合わせ、投票情報管理センタは、この問い合わせに対し、指定情報に該当する投票データを上記の投票情報データベースから求めて勝馬投票券発券機に送り、投票券を発券させるものである。
【０００６】
この場合、勝馬投票券発券機では、投票情報管理センタからの投票データの内容をディスプレイに文字表示して顧客にそれを確認できるようにしており、このディスプレイの画面上での確認ボタンによって確認操作をすると、投票券印刷機構が動作してこの投票データの内容の投票券を印刷発券する。
【０００７】
さらに、他の例として、投票シートの内容の修正を表示画面で行なえるようにした投票券発売機も提案されている（例えば、特許文献３参照）。
【０００８】
この特許文献２に記載の投票券発売機は、投票カード挿入口と投票券排出口と現金入出金口とタッチパネル付きの表示画面とを備えたものであって、投票カード挿入口から投票カードを、また、現金入出金口から現金を投入すると、表示画面に投票カードの読取り内容の画面が表示され、それを確認すると、投票券排出口から投票券を受け取ることができるものである。
【０００９】
ここで、この表示画面に表示された内容に誤りがあると、この誤りを修正やカード返却などのかかる誤りに対して予測される操作のための部分画面（タッチキーなどの画面）が予め格納されているメモリから読み出され、投票カードの内容が表示されているこの表示画面に表示され、そのタッチ操作によって修正などができるものである。
【特許文献１】特開平１１ー１４９５０８号公報
【特許文献２】特開２００２ー１１７４２７
【特許文献３】特開２００３ー６６９４
【発明の開示】
【発明が解決しようとする課題】
【００１０】
ところで、従来の自動発払機では、複数の投票券を購入する場合、複数の投票カードをまとめて投票カード挿入口に挿入する。投票カードが読み取られると、その内容が投票カード毎に次々に画面に表示されては消えていく。投票カードの読み取り速度が早くなるにつれて、１枚の投票カードについての画面の表示時間が短くなり、顧客がその画面の内容を確認することが困難になる。
【００１１】
本発明の目的は、かかる問題を解消し、顧客が投票カードを用いて投票券を購入する場合にも、これら投票券の内容確認を容易にするとともに、購入作業を迅速かつ的確に行なうことができるようにした自動発払機を提供することにある。
【課題を解決するための手段】
【００１２】
上記目的を達成するためには、本発明は、装置筐体の前面部に、投票券の購入や的中投票券の払戻しを行なうためのパネル部と投票券の購入過程を表示する顧客用表示画面とを備えた自動発払機であって、パネル部に、投票券を購入するための投票カードを複数枚まとめて挿入可能な挿入口を設けるとともに、表示画面では、パネル部でまとめて挿入された複数の該投票カードの内容を１画面に複数枚分表わす投票券情報画面を表示する構成とするものである。
【００１３】
また、本発明は、表示画面では、複数の投票券情報画面が互いに並んだ状態で順にスクロールしながら表示されるものである。
【００１４】
さらに、本発明は、投票券情報画面は、該当する投票カードでの賭式の数に応じた大きさで表示されるものである。
【００１５】
さらに、本発明は、自動発払機の制御部が、前記複数枚の投票カードに修正が必要なものがあるか否かを判定し、ある場合には、修正が必要な投票カードの内容を修正するための修正画面を表示するものである。
【００１６】
さらに、本発明は、修正が艇番号に関するものである場合には、修正すべき艇番号が属するレースの選手名を表示するものである。
【発明の効果】
【００１７】
本発明によると、このようにして、複数枚の投票カードに対する投票券情報が１画面に複数枚分表示されるから、１枚当りの表示時間が長くなり、顧客は実際に購入する投票券の内容を容易に確認することができる。
【発明を実施するための最良の形態】
【００１８】
以下、本発明の実施形態を図面により説明する。なお、ここでは、競艇を例に説明するが、競馬や競輪などの他の公営競技であってもよい。
【００１９】
図１は本発明による自動発払機の一実施形態を示す外観斜視図であって、１はこの実施形態の自動発払機、２はパネル部、３は精算ボタン、４は券挿入・返却エリア、５は発券エリア、６は入金・返却エリア、７ａ，７ｂは境界溝、８は投票カード／投票券返却口、９は投票券挿入口、１０は投票カード挿入口、１１は投票券発券口、１２は紙幣挿入口、１３は紙幣返却口、１４は硬貨投入口、１５は硬貨返却口、１６はＩＣカード挿入／返却口、１７はテーブル部、１８は顧客用表示画面、８ａ，９ａ，１０ａ，１１ａ，１２ａ，１４ａはフリッカーランプである。
【００２０】
同図において、自動発払機１の筐体の前面部には、正面を向いたパネル部２とその下部の前方に突出したテーブル部１７とが設けられ、このテーブル部１７に上向きにタッチパネルを備えた顧客用表示画面１８が設けられている。
【００２１】
パネル部２には、その中心部にランプ付きの精算ボタン３が設けられており、この精算ボタン３を通る水平な境界溝７ａによってこのパネル部３が上下２つのエリアに区分され、これらの下側のエリアが料金の支払いや払戻しのための入金・返却エリアをなしている。また、境界溝７ａによって区分される上側のエリアは、さらに、精算ボタン３で終端する垂直な境界溝７ｂによって左右の２つのエリアに区分され、右側のエリアが投票カード（マークカード）やレースで的中した投票券（的中投票券）を出し入れする券挿入・返却エリアをなし、左側のエリアが投票券（競艇では、勝船投票券）を発券する発券エリアをなしている。
【００２２】
券挿入・返却エリア４には、投票券を購入するために投票カードを差し込むための投票カード挿入口１０と、払戻し金を受け取るために的中投票券を差し込むための投票券挿入口９と、払い戻しのない投票券や正しく読み取ることができなかった投票券・投票カードを返却するための投票カード／投票券返却口８とが設けられている。投票カード挿入口１０には、複数枚の投票カードをまとめて挿入することができるし、投票券挿入口９でも、同様に、投票券を複数枚まとめて挿入することができる（なお、１枚ずつ続けて挿入するようにしてもよい）。的中投票券と思って投票券挿入した投票券が的中投票券でない場合には、この投票券が投票カード／投票券返却口８から返却される。また、正しく記入されていないで複数箇所エラーがある投票カードもこの投票カード／投票券返却口８から返却される。さらに、後述するように、顧客用表示画面１８で返却が指示された投票券カードも、この投票カード／投票券返却口８から返却される。
【００２３】
なお、投票カード／投票券返却口８，投票券挿入口９及び投票カード挿入口１０には夫々、それら毎に近接してフリッカーランプ８ａ，９ａ，１０ａが設けられている。これらフリッカーランプ８ａ，９ａ，１０ａは顧客への案内のために設けられているものであって、フリッカーランプ８ａは顧客に投票カード／投票券返却口８から返却される投票カードあるいは投票券を受け取らせるために点滅し、フリッカーランプ９ａは投票券挿入口９から的中投票券を挿入することを顧客に指示するために点滅し、フリッカーランプ１０ａは投票カード挿入口１０から投票カードを挿入することを顧客に指示するために点滅する。なお、精算ボタン３はランプを備えており、顧客にこの精算ボタンの押下を指示する際には、上記のフリッカーランプと同時に点滅する。
【００２４】
入金・返却エリア６には、投票券を購入するために紙幣を挿入するための紙幣挿入口１２と硬貨を挿入するための硬貨投入口１４、釣銭や的中投票券の払戻金を現金で受け取るための紙幣返却口１３と硬貨返却口１５が設けられており、また、ＩＣカードでも投票券の購入ができるようにするために、ＩＣカード挿入／返却口１６が設けられている。さらに、的中投票券を投票券挿入口９に挿入して払戻金を受け取るときには、ＩＣカードをＩＣカード挿入／返却口１６に挿入することにより、このＩＣカードでこの払戻金を受け取ることもできる。
【００２５】
なお、紙幣挿入口１２と紙幣返却口１３とが近接して設けられ、これらに近接してフリッカーランプ１２ａが設けられている。また、硬貨投入口１４と硬貨返却口１５とが近接して設けられ、これらに近接してフリッカーランプ１４ａが設けられている。さらにまた、ＩＣカード挿入／返却口１６に近接してフリッカーランプ１６ａが設けられている。フリッカーランプ１２ａは、紙幣挿入口１２から紙幣を挿入する必要があることを顧客に知らせるときに点滅し、フリッカーランプ１３ａは、釣銭や的中投票券の払戻金が紙幣返却口１３から返却されることを顧客に知らせるときに、点滅し、紙幣が挿入されるとともに、あるいは釣銭や払戻金として排出された紙幣が顧客に受け取られたことを検出すると、点滅を停止する。なお、紙幣挿入口１２及び紙幣返却口１３の夫々の近傍にフリッカーランプを設けるようにしてもよい。また、フリッカーランプ１４ａは、硬貨投入口１４から硬貨を挿入する必要があることを顧客に知らせるとき、あるいは、釣銭や払戻金が硬貨返却口１５から返却されることを顧客に知らせるときに、点滅し、硬貨が挿入されるとともに、あるいは釣銭や払戻金が硬貨で排出されると、一定時間経過後に点滅を停止する。さらに、フリッカーランプ１６ａは、ＩＣカード挿入／返却口１６にＩＣカードの挿入を促すとき、及び受け取りを促すとき、点滅する。
【００２６】
発券エリア５には、投票券発券口１１のみが設けられている。入金・返却エリアの紙幣挿入口１２や貨幣投入口１４で現金を挿入し、券挿入・返却エリアの投票カード挿入口１０から投票カードを挿入すると、あるいはＩＣカード挿入／返却口１６にＩＣカードを挿入すると、後述するように、顧客用表示画面１８で挿入された投票カードの内容の確認画面が表示され、この確認画面で内容を確認すると、あるいは修正などして確認すると、投票券発券口１１から各投票カード毎の投票券が投票券発券口１１から発券される。
【００２７】
なお、投票券発券口１１の近傍にフリッカーランプ１１ａが設けられている。フリッカーランプ１１ａは、投票券発券口１１から投票券が排出されたとき点滅し、この投票券が顧客によって受け取られるとともに点滅を停止する。
【００２８】
なお、以上の投票カード／投票券返却口８、投票券挿入口９、投票カード挿入口１０、投票券発券口１１、紙幣挿入口１２、紙幣返却口１３、硬貨投入口１４、硬貨返却口１５、ＩＣカード挿入／返却口１６を総称して、以下、取り扱い口という。
【００２９】
投票カード挿入口１０から挿入した投票カードで購入する投票券の金額（以下、投票券の購入金額という）に等しい金額が入金・返却エリア６で投入されているときには、顧客用表示画面１８での投票カードの確認後、投票券発券口１１から投票券が自動的に排出される。
【００３０】
しかし、入金・返却エリア６からの投入金額が投票券の購入金額よりも多い場合には、精算ボタン３をプッシュ操作することにより、投票券発券口１１から投票券が排出されるし、入金・返却エリア６で釣銭を現金で、あるいはＩＣカードで取得することができる。これは、入金・返却エリア６からの投入金額が投票券の購入金額よりも多い場合には、これらの差額を用いてさらに投票券の追加の購入を可能とするためである。即ち、顧客用表示画面１８（図１）の操作画面で確認後精算ボタン３を操作しなければ、例えば、挿入し忘れた投票カードを投票カード口１０から挿入し、また、必要に応じて追加の金額を紙幣挿入口１２や硬貨投入口１４から現金を挿入することにより、投票券の購入を追加することができる。
【００３１】
また、ＩＣカード挿入／返却口１６からＩＣカードを挿入して投票券を購入する場合、ＩＣカードの残金が投票券の購入金額に満たないときには、紙幣挿入口１２や硬貨投入口１４から現金を投入することにより、その不足分を補うことができる。
【００３２】
なお、パネル部２の上方、例えば、右側に、係員呼出しボタン１９が設けられている。また、図示しないが、自動発払機１の前面部には、投票券の購入や的中投票券の払戻しを行なう顧客を検知する顧客センサが設けられ、背面部には、障害が生じたときのアラーム，警報ランプ，背面部の扉の開閉を検知する扉センサなども設けられている。
【００３３】
図２は上記のパネル部２での各挿入口，返却口などの配置を概略的に示す図であって、フリッカーランプ８ａ，９ａ，１０ａ，１１ａ，１２ａ，１４ａは省略している。また、図１に対応する部分には同一符号を付けて重複する説明を省略する。
【００３４】
同図において、パネル部２の垂直方向の中心線Ｙと水平方向の中心線Ｘとの交点（パネル部２のほぼ中心部）に精算ボタン３が配置されている。そして、この水平方向の中心線Ｘに沿って境界溝７ａが、垂直方向の中心線Ｙに沿って境界溝７ｂが夫々設けられ、これら境界溝７ａ，７ｂによってパネル部２が券挿入・返却エリア４，投票券発券エリア５，入金・返却エリア６に区分されている。
【００３５】
券挿入・返却エリア４では、投票カードや的中投票券の挿入／返却口がまとめて配置されており、この券挿入・返却エリア４を投票券購入のための投票カードの挿入や払戻し金の払い戻しのための的中投票券の挿入ができるようにした投票カードや的中投票券の受け付け窓口としている。発券エリア５では、投票券発券口１１だけが設けられており、この発券エリア５を投票券を受け取る窓口としている。入金・返却エリア６では、投票券の購入金額の投入口や払戻金の受り取り口がまとめて配置されており、この入金・返却エリア６だけでかかる購入金額の投入や払戻金の受り取りができるようにしている。また、この入金・返却エリア６では、垂直方向の中心線Ｙに関して、例えば、右側に紙幣挿入口１２と紙幣返却口１３とが設けられて購入金額支払の窓口をなし、左側に貨幣投入口１４と硬貨返却口１５とが設けられて釣銭や払戻金の受け取りの窓口をなしている。
【００３６】
このように、パネル部２には、数多くの取扱口８〜１６が設けられるが、顧客が同じ様な作業をするための取扱口を同じエリアにまとめ、しかも、全てのエリア４〜６がパネル部２で唯一の操作手段である精算ボタン３の周りに配置されるようにして、全ての取扱口８〜１６が精算ボタン３を囲むようにまとめて配置されている。このように精算ボタン３に関して取扱口８〜１６を配置し、かつ各エリア４〜６を境界溝７ａ，７ｂで明確にしたことにより、顧客は、パネル部３全体を見渡すことなく、狭い範囲の該当するエリアを見るだけで所望とする取扱口を容易に探し出すことができ、しかも、投票券の購入手順としても、券挿入・返却エリア４で投票カードの挿入を行ない、入金・返却エリア６で購入料金を投入し、発券エリア５で投票券を受け取るといったように、パネル部２を見るのも局所的であって、その見る場所の順序も決まったものとなり、パネル部２全体をあちこち見ながら必要な取扱口を探し周るというようなことがなくなる。
【００３７】
また、上記の取扱口に比べて目立ちにくい精算ボタン３が、パネル部２のほぼ中央部に配置されることにより、非常に目立ったものとなり、最終的な精算作業をするにも、顧客はそのための精算ボタン３を直ちに探し出すことができ、しかも、この精算ボタン３に近接して金銭取り扱いのための入金・返却エリア６が配置されるので、精算作業も迅速かつ的確に行なわれることになる。
【００３８】
従って、投票券の購入や払戻金の受け取りなどの操作が容易となり、しかも、かかる操作を円滑に行なうことができるようになって、使い勝手，操作性が向上する。
【００３９】
図３は図１に示す自動発払機１を用いた競艇システムの一具体例を示すシステム図である。
【００４０】
同図において、情報センタ２０は各レースに関する情報（選手名や艇番号など）や売上金額などの各種の情報が格納されるものであって、ネットワーク２１やゲートウェイ２２を介して競艇場や各所の場外船券売場の投票／運用サーバ２３に接続されている。そして、夫々の投票／運用サーバ２３は、競艇場や場外船券売場に夫々複数台設置されている図１に示す自動発払機１や自動発売機２４，その他のシステム構成機器（例えば、オッズなどの画面を表示する映像設備，場内放送設備，出走表プリンタ，オッズプリンタなど）２５に接続されている。
【００４１】
投票／運用サーバ２３は情報センタ２０から各レースの出走選手や艇番号，レースの結果などのレースに関する情報を取得し、映像設備で出走表やオッズを表示させ、また、それらのプリントを作成させる。顧客は、これらを参考にして、投票カード（マークカード）を完成させることができる。
【００４２】
顧客が、紙幣挿入口１２や硬貨挿入口１４（図１）から料金を投入し、完成した投票カードを投票券カード挿入口１０（図１）から自動発払機１に差し込むと、この自動発払機１はその投票カードの内容（レース名や賭式など）を読み取り、投票／運用サーバ２３に格納されているレースに関する情報と照合して確認して、投票券発券口１１（図１）から投票券の発券を行なう（この場合、投入金額が投票券の購入金額を上回っているときには、精算ボタン３を操作することにより、投票券の発券と紙幣返却口１３や硬貨返却口１５（図１）からの釣銭の排出が行なわれる）。これとともに、自動発払機１はかかる投票カードの読取情報や売上（購入）金額情報を投票／運用サーバ２３を送り、投票／運用サーバ２３はこれら情報を情報センタ２０に送信する。情報センタ２０では、これら情報を受け取ると、各レースのオッズの修正や売上金の集計を行なうとともに、修正されたオッズを各投票／運用サーバ２３に送る。このオッズが競艇場や場外船券売場で表示されることになり、顧客は最新のオッズを見ることができるようにしている。
【００４３】
なお、ＩＣカードを用いた場合には（ＩＣカードをＩＣカード挿入／返却口１６（図１）から挿入した場合には）、その現在の収納金額全部が自動発払機１に入金されることになり、また、上記のように精算ボタン３をタッチ操作することによってなされる釣銭は、ＩＣカードに戻される。ＩＣカードは、投票券発券口（図１）からの投票券の発券とともに、ＩＣカード挿入／返却口１６から返却される。
【００４４】
また、レースで当った的中投票券を投票券挿入口９（図１）から自動発払機１に差し込むと、自動発払機１はこの的中投票券の内容を読み取り、投票／運用サーバ２３を介して情報センタ２０に送る。情報センタ２０は、取り込んだこの的中投票券の内容を該当するレースの結果と照合し、その内容が的中している場合には、払戻し金を計算して支払命令とともに自動発払機１に送る。自動発払機１は、この命令を受けると、情報センタ２０から知らされた払戻し金を紙幣返却口１３や硬貨返却口１５（図１）から現金で支払う。ＩＣカードがＩＣカード挿入／返却口１６（図１）から挿入されているときには、払戻し金はこのＩＣカードに入金される。
【００４５】
図４は図１における自動発払機１の内部回路構成の一具体例を示すブロック図である。
【００４６】
同図において、制御部５５では、ＣＰＵ（中央処理ユニット）３０が、各部の制御のための処理を行なうとともに、ＬＡＮ（Local Area Network）などの上位回線の制御部３６を介して投票／運用サーバ２３（図３）との間で通信を行なう。
【００４７】
自動発払機１内には、ＨＤＤ（ハード・ディスク・ドライブ）３７やＣＤ−Ｒ／Ｗ（書き込み，読み出し可能なコンパクトディスク）３８が装着されており、夫々ファイル制御部３１の制御のもとに動作する。ＨＤＤ３７には、ＣＰＵ３０を動作させるソフトウェアや顧客用表示画面１８に表示する操作画面の基本画面などのファイル，自動発払機１の背面に設けられた係員用表示画面に表示する操作画面の基本画面などのファイルや発券した投票券に関するログファイルなどが格納されている。また、ＣＤ−Ｒ／Ｗ３８は、オフラインでデータの移動を行なう場合に用いられるものであって、例えば、ＨＤＤ３７の操作画面などの操作ログをこれに記録して自動発払機１外に持ち出す場合や保守に伴って新しいソフトウェアや情報をインストールする場合などに用いられる。
【００４８】
現金処理部３９は硬貨投入口１４から投入された硬貨を検出して硬貨による入金額を計算し、また、釣銭や払戻金のうちの硬貨で返却する金額を計算し、これを硬貨返却口１５から排出する処理を行なう。また、現金処理部４０は紙幣挿入口１２から投入された紙幣を検出して紙幣による入金額を計算し、また、釣銭や払戻金のうちの紙幣で返却する金額を計算し、これを紙幣返却口１３から排出する処理を行なう。さらに、ＩＣカード部４１は、ＩＣカード挿入／返却口１６からＩＣカードが挿入されると、これを検出するとともに、その収納残高も検出し、この全額を顧客が支払う料金として入金処理する。また、釣銭や払戻金がある場合には、これをＩＣカードに戻し、ＩＣカード挿入／返却口１６からＩＣカードを返却する処理を行なう。ここで、現金処理部３９，４０やＩＣカード部４１での処理で得られた入金額の情報は、回線制御部３２を介してＣＰＵ３０に取り込まれる。
【００４９】
発券プリンタ部４２は、投票券をプリントして投票券発券口１１から発券する処理を行なうものである。また、投票券／マークカード読取部４３は投票券挿入口９から挿入された的中投票券を検出し、また、投票カード挿入口１０から挿入された投票カード（マークカード）を検出し、これら的中投票券と投票カードとを判別してそれらの内容を読み取るものである。投票券発券口１１から複数枚の的中投票券がまとめて挿入された場合には、また、投票カード挿入口１０から複数枚の投票カードがまとめて挿入された場合には、夫々毎に同様の処理が行なわれる。
【００５０】
読み取られた投票カードの内容の情報は回線制御部３２からＣＰＵ３０に取り込まれる。ＣＰＵ３０では、投票カードから読み取られた内容を投票／運用サーバ２３（図３）での該当するレースに関する情報と照合して確認し、全ての投票カードの内容に誤りがなければ、発券プリンタ部４２を動作させて投票券のプリントを行なわせるとともに、挿入された投票カードに対する投票券の全購入金額が計算され、現金処理部３９，４０あるいはＩＣカード部４１から取り込んだ入金額と比較する。そして、この全購入金額とこの入金額とが等しいときには、ＣＰＵ３０を回線制御部３２に指令を送り、投票券発券口１１から全ての投票券を排出させる。この場合には、ＣＰＵ３０はこの入金額の情報を上位回線制御部３６を介して投票／運用サーバ２３に、さらに、情報センタ２０（図３）に送る。
【００５１】
また、この入金額が全購入金額を越える場合には、ＣＰＵ３０は待機状態となるとともに、ＩＯデバイス制御部３３に指令を送って、精算ボタン部４８により、精算ボタン３（図１）のランプを点灯（もしくは点滅）させる。これに応じて、顧客がこの精算ボタン３を操作すると、これを精算ボタン部４８が検出し、この検出結果をＩＯデバイス制御部３３を介してＣＰＵ３０に送る。ＣＰＵ３０は、精算ボタン部４８の検出結果を取り込むと、回線制御部３２に指令を送り、発券プリンタ部４２を動作させて、上記のように、投票券発券口１１から投票券を発券させるとともに、現金処理部３９，４０を動作させて釣銭を紙幣返却口１３や硬貨返却口１５から排出させ、あるいはＩＣカード部４１を動作させて釣銭をＩＣカード内に入力する。この場合にも、ＣＰＵ３０はこの入金額から釣銭を除いた金額、即ち、全購入金額の情報を上位回線制御部３６を介して投票／運用サーバ２３に、さらに、情報センタ２０に送る。
【００５２】
投票券／マークカード読取部４３で的中投票券が検出され、その内容が読み取られると、この読み取られた内容は回路制御部３２を介してＣＰＵ３０に供給される。ＣＰＵ３０は、この内容を上位回線制御部３６を介して投票／運用サーバ２３に、さらに、情報センタ２０に送る。情報センタ２０はこの内容から的中投票券であるか否かを確認し、間違いなければ、上記のように、払戻しの指令情報と払戻し金額の情報とをＣＰＵ３０に返す。これにより、ＣＰＵ３０は回線制御部３２を制御し、払戻し金額分で新たな投票券を購入可能とし、または、精算ボタン３が押下された場合には、現金処理部３９，４０またはＩＣカード部４１を動作させて紙幣返却口１３や硬貨返却口１５から払戻金を現金で排出させ、あるいはＩＣカードに入力させる。
【００５３】
ここで、的中投票券を投票券挿入口９から挿入した後に、投票カードを投票カード挿入口１０から挿入すると、投票券／マークカード読取部４３が夫々を判別するとともに、それらの内容を検出し、回線制御部３２を介してＣＰＵ３０に送る。ＣＰＵ３０は的中投票券から読み取った内容について上記の処理を行ない、投票カードから読み取った内容について上記の処理を行なう。そして、ＣＰＵ３０は、この的中投票券に対する払戻金をこの投票カードに対する投票券の購入費用に振り替える処理を行なう。これにより、投票券発券口１１から新たな投票券を取得することができるし、このときに釣銭があれば、顧客は紙幣返却口１３や硬貨返却口１５からこれを受け取ることができるし、このとき、ＩＣカード挿入／返却口１６にＩＣカードを挿入してあれば、ＩＣカードでこれを受け取ることができる。的中投票券の払戻金だけでは購入金額に対して不足していれば、この不足金額以上を紙幣挿入口１２や硬貨投入口１４から現金を追加すればよい。
【００５４】
係員カードリーダ部４４は、自動発払機１の背面の扉内に設けられており、係員のカードで情報の読み取り、書き込みを行なうものである。また、ジャーナルプリンタ部４５も、この扉内に設けられており、ＨＤＤ３７での操作ログなどをプリントアウトする。
【００５５】
タッチパネル部４６は、顧客用表示画面１８（図１）でのタッチパネルの顧客によるタッチ操作を検出するものである。ＣＰＵ３０は、投票券／マークカード読取部４３の読み取り結果に基づき、あるいはタッチパネル部４６からの顧客によるタッチパネルの操作結果に基づき、該当する基本画面をＨＤＤ３７から読み取って加工して所定の操作画面を作成し、これを顧客用画面制御部３４の制御のもとに顧客用表示画面１８で表示させる。これにより、投票カード挿入口１０から投票カードを挿入すると、あるいは投票券挿入口９から的中投票券を挿入すると、これに該当する操作画面が顧客用表示画面１８に表示され、その操作画面でタッチパネルをタッチ操作すると、このタッチ操作に応じた操作画面に表示が切り替わることになる。
【００５６】
取扱い表示部４７は、図１では図示していないが、自動発払機１の前面部に設けられ、この自動発払機１により、投票券を購入可能であるか、払い戻しが可能であるか、あるいは使用できない中止状態にあるのか現在の運用状態を表す情報を表示する表示部である。この表示は、例えば、「発売中」，「払戻中」，「取扱い停止中」のように表わされ、「発売中」，「払戻中」のいずれもが表示されているときには、購入と払い戻しの両方の処理をすることができる。
【００５７】
精算ボタン部４８は、上記のように、精算ボタン３のランプを点灯（点滅）させたり、精算ボタン３の操作を検出したりするものである。
【００５８】
顧客センサ４９は、自動発払機１の前面に向かい合って顧客が居ることを検知するものであって、顧客センサ４９が顧客を検知すると、ＣＰＵ３０はその検知出力をＩＯデバイス制御部３３を介して受け取り、ＨＤＤ３７から初期画面（後述する待受画面）を読み取って顧客用表示画面１８に表示させる。
【００５９】
フリッカランプ部５０は、パネル部２（図２）に設けられた上記のフリッカランプ８ａ，９ａ，１０ａ，１２ａ，１４ａ，１６ａを点灯もしくは点滅させるためのものである。
【００６０】
障害アラーム部５１は、自動発払機１に障害が生じた場合に、これを係員に知らせるために、アラームを発生させるものである。図示しない障害検出手段で障害が検出されると、あるいは自動発払機１の前面部に設けられた係員呼出しボタン１９が顧客によって操作されると、この障害アラーム部５１を動作させてアラームを発生させ、係員に通報する。このとき、自動発払機１の背面部に設けられた警報ランプ５２も点滅させる。扉センサ５３は、自動発払機１の、例えば、裏側に設けられた扉の開閉状態を検知するものであって、この扉が開いているときには、ＣＰＵ３０は、この検知結果をもとに、障害アラーム部５１や警報ランプ５２に送って通報させる。
【００６１】
顧客用画面制御部３４は、ＣＰＵ３０で加工された顧客用の操作画面を顧客用表示画面１８に表示させる。また、自動発払機１（図１）の背面には、係員が操作する操作画面の係員用表示画面５４が設けられており、係員用画面制御部３５は、ＣＰＵ３０によるかかる操作画面をこの係員用表示画面５４に表示させるものである。
【００６２】
次に、この実施形態の動作を顧客用表示画面１８（図１）に表示される操作画面とともに説明する。なお、かかる動作において、フリッカーランプ８ａ〜１２ａ，１４ａ，１６ａが適宜点灯もしくは点滅するが、その説明は省略する。
【００６３】
図５はこの実施形態の全体の動作の一具体例を示すフローチャートであって、前出図面を参照して説明する。
【００６４】
同図において、顧客が自動発払機１の前面に立ち、これを顧客センサ４９（図４）で検知されると、顧客用画面制御部３４（図４）が作動して顧客用表示画面１８（図１）に図１８に示す待受画面３００が表示される（ステップ１００）。
【００６５】
この待受画面３００では、現金またはＩＣカードの挿入を案内するメッセージ画面３０１や的中カードの挿入を案内するメッセージ画面３０２，各競艇開催場でのレースの進行状況とその状況での取扱いを示すレース進行状況表示画面３０３、それに、金額表示画面３０４が設けられている。このレース進行状況表示画面３０３では、既に終了したレースや現在行なわれているレースといった投票券が購入できないレースの番号は、ハッチングが付されるなどして、投票券を購入できるレースの番号とは異なる形態で表示される。ここでは、開催場Ａ，Ｂ，Ｃは６レース以降のレースが、開催場Ｄは７レース以降のレースが夫々投票券の購入が可能である状況を示している。また、この待受画面３００を含む後述する画面では、紙幣挿入口１２，硬貨投入口１４から投入された現金、もしくはＩＣカード挿入／返却口１６から挿入されたＩＣカードの収納金額が入金額として表示される入金額欄３０５、投票券挿入口９から挿入された的中投票券による払戻し金額が表示される払戻し金額欄３０６，投票カード挿入口１０から挿入された投票カードによる投票券の購入金額が表示される購入金額欄３０７，自動発払機１内に残っている残金（＝入金＋払戻金−購入金額）が表示される残金欄３０８を表わす金額表示画面３０４も設けられている。最初に表示される待受画面３００では、金額表示画面３０４の全ての金額欄３０５〜３０８で金額が０である。
【００６６】
以下では、まず、レースの投票券を購入する場合について説明する。
【００６７】
この待受画面３００の指示に従って、紙幣挿入口１２，硬貨投入口１４（図１）から現金を、あるいは、ＩＣカード挿入／返却口１６（図１）からＩＣカードを挿入すると（図５のステップ１０１）、この現金やＩＣカードの収納金額が現金処理部３９，４０あるいはＩＣカード部４１（図４）で計数され、図１９に示す投票カード投入画面３１０が顧客用表示画面１８に表示される（図５のステップ１０２）。
【００６８】
この投票カード投入画面３１０では、投票カードの挿入を顧客に促すメッセージ３１２と自動発払機１のパネル部２の画像３１３とからなる案内画面３１１が表示されるが、パネル部２（図１）での投票カードの投入場所を案内するために、このパネル部画像３１３の投票カードの挿入を行なうためのエリア、即ち、投票カード挿入口１０を含む券挿入・返却エリア４（図１）に対応する部分３１３ａを、特定の色で表示したり、点滅させるなどして、明示する。
【００６９】
なお、上記のように、現金やＩＣカードが投入されて計数されたので、その結果が入金として入金額欄３０５に表示され、また、残金欄３０８にこの入金額と等しい金額が残金として表示される。ここでは、５万円入金されたものとし、従って、残金も５万円となる。
【００７０】
投票カードが挿入されるまで、図１９に示すこの投票カード投入画面３１０が表示した状態で待機し、顧客がこの投票カード投入画面３１０での案内画面３１１の表示に従ってパネル部２の券挿入・返却エリア４の投票カード挿入口１０を見付け出し、これに投票カードを挿入すると（図５のステップ１０３）、投票券／マークカード読取部４３（図４）がその内容を読み取り、その内容の確認を行なう（図５のステップ１０４）。
【００７１】
なお、図１９に示す投票カード投入画面３１０の表示状態で精算ボタン３（図１）を操作すると、図７に示す処理に移って、金額表示画面３０４の残金欄３０８での残金に等しい金額の現金の計数が行なわれ、図２０に示すような現金返却画面３１５が表示されるとともに、その現金がパネル部２の紙幣返却口１３や硬貨返却口１５から放出される（図７のステップ１３０）。あるいは、ＩＣカード挿入／返却口６にＩＣカードが挿入されていれば、このＩＣカードに入力される。この現金返却画面３１５では、図１９に示す投票カード投入画面３１０と同様の型式をなしているが、案内画面３１６では、メッセージ３１７が顧客に残金が返却されたことを通知するものであり、パネル部２の画像３１８は返却口を含むエリアＣに対応する部分３１８ａが特定の色で表示したり、点滅させるなどして、この返却を顧客がより確実に認識するようにする。
【００７２】
顧客が現金を受け取ると、あるいはＩＣカードを抜き取ると（図７のステップ１３１）、処理は終了し、図１８に示す待受画面３００の表示状態に戻る（図５のステップ１００）。
【００７３】
図５のステップ１０４での投票カードの内容の確認の結果、読み取った内容が正常であって、この投票カードで購入する投票券の購入金額に対して残金欄３０８の残金が不足していなければ（残高不足なし）、この購入金額が、上記のように、投票／運用サーバ２３（図３）に送られ（図５のステップ１０５）、次の投票カードがある場合には（図５のステップ１０５ａ）、その投票カードについて、同様の内容の判定を行なうが（図５ステップ１０４）、
（１）読み取った内容が正常であるが、残金欄３０８の残金が不足している場合には、図８に示すフローチャートに進み、
（２）残金欄３０８の残金が不足していないが、読み取った内容にエラーが１箇所ある場合には、図９に示すフローチャートに進み、
（３）残金欄３０８の残金が不足していないが、読み取った内容にエラーが複数箇所ある場合には、図１５に示すフローチャートに進み、
（４）以上以外の場合には、図１６に示すフローチャートに進む。
これらのフローチャートについては、後に説明する。
【００７４】
投票／運用サーバ２３は、読み取った投票カードの内容や購入金額の情報が登録できるか否かを判定し（図５のステップ１０５）、登録できない場合には、図１６に示すフローチャートに進むが、登録できる場合には、これら情報を情報センタ２０（図３）に送って登録させる。また、投票／運用サーバ２３は、自動発払機１に投票券の発券指示を送る。
【００７５】
そこで、ＣＰＵ３０は顧客用表示画面１８に購入賭式画面を表示させる（図５のステップ１０６）。図２１に示すように、この購入賭式画面３２０では、投票カードに対する投票券の情報を示す投票券情報画面３２１が下辺部から現れて、白抜き矢印で示すように、上方にスクロールし、図２２に示すように、全体が表示される状態になると、停止した状態で表示される。この投票券情報画面３２１は賭式が１つ指定されたものとしており、レースの開催場３２１ａとレース番号３２１ｂ，式別３２１ｃ，指定艇番３２１ｄ，この賭式での購入金額３２１ｅとこの投票券での合計購入金額３２１ｆが表示される。ここでは、合計購入金額３２１ｆは３千円とする。そして、図２３に示すように、金額移動マーク３２２によって金額表示画面３０４の残金欄３０８から投票券情報画面３２１に残金のうちの投票券情報画面３２１の合計購入金額ｆ分が移動したことが示され、これにより、残金欄３０８の残金（＝５万円）が４万７千円（＝５万円−３千円）に更新される。続いて、図２４に示すように、以上の処理を終えた投票券情報画面３２１は、ハッチングや色変更などがなされて処理完了であることが示され、購入金額欄３０７に購入した投票券の合成枚数（この場合、１枚）と合計購入金額（この場合、３千円）とが表示される。
【００７６】
ここで、上記のように、複数の投票カードがまとめて投票カード挿入口１０（図１）から挿入されたものとすると、上記の１枚目の投票券の処理に続いて、図２５に示すように、２枚目の投票カードに対する投票券情報画面３２３が投票券情報画面３２１の下から現れ、これらが白抜き矢印で示すように上方にスクロールする。そして、投票券情報画面３２１と同様にして、投票券情報画面３２３での処理が終了すると、図２６に示すように、そこでの合計購入金額分（＝６千円）だけ残金欄３０８の残金が差し引かれ、この投票券情報画面３２３に処理済みのハッチングなどがかけられる。また、このとき、３枚目の投票カードに対する投票券情報画面３２４が表示される。
【００７７】
ここで、図２５や図２６から明らかなように、投票券情報画面では、投票カードで指定された個数の賭式が表示される。この場合、賭式などの内容を示す文字の表示サイズは、賭式の指定数にかかわらず、等しく見易い大きさとしており、このため、投票券情報画面は賭式の指定数に応じてサイズが異ならせており、顧客にとって賭式の確認が容易に行なえるようにしている。また、指定数の少ない投票カードのサイズ（スクロール方向の幅）を小さくすることにより、スクロール速度遅くすることができ、この点でも、顧客にとっての内容の確認を容易にすることができる。
【００７８】
図２７は５枚目の投票券カードに対する投票券情報画面３２５の処理が終了し、６枚目の投票カードに対する投票券情報画面３２６が表示されたときの購入賭式画面３２０を示すものであり、このときには、購入金額欄３０７では、購入枚数が５枚と表示され、また、合計購入金額が、例えば、２２，８００円と表示されている。残金欄３０８での残金は、上記のように、入金＋払戻し金額−購入金額であるから、現状では、５００００円−２２８００円＝２７２００円となる。
【００７９】
図２８は流しの投票カードに対する投票券情報画面３２７が処理されるときの状態を示し、図２９はボックスの投票カードに対する投票券情報画面３２８が処理されるときの状態を示す。夫々毎に購入金額欄３０７での購入枚数と合計購入金額、残金欄３０８での残金が異なる。
【００８０】
なお、以上のように表示される投票券情報画面では、各艇番号が互いに異なる色で表示される。
【００８１】
このようにして、複数枚の投票カードが投票カード挿入口１０（図１）が挿入された場合には、そのうちの有効な投票カードに対し、購入賭式画面３２０において、投票券情報画面が、スクロールされることにより、順に表示されることになり、顧客は実際に購入できる投票券を順番に確認することができる。
【００８２】
一方、ＣＰＵ３０（図４）は、常時顧客用表示画面１８に表示されている操作画面での残金欄３０８の残金も監視しており（図５のステップ１０７）、投票カード挿入口１０から挿入された投票カードに対する投票券情報画面の処理が全て終わり、このとき、残金欄３０８に残金が残っている場合には、顧客用表示画面１８に図３０に示す投票カード読取完了画面３３０が表示される（図５のステップ１０８）。この投票カード読取完了画面３３０では、投票券情報画面は表示されず、例えば、レースが行なわれているようなアニメーション画像３３１が表示され、また、入金額欄３０５に入金額が、購入金額欄３０７に購入枚数と合計購入金額とが、残金欄３０８に残金がそのまま表示されている。
【００８３】
そして、精算ボタン３（図１）のランプが点滅しており（図５のステップ１０９）、押下を促す画面が表示される。これによって顧客がこの精算ボタン３を操作すると（図５のステップ１１０）、上記の残金が釣銭として紙幣返却口１３や硬貨返却口１５（図１）から現金が排出され、あるいはＩＣカード挿入／返却口８内のＩＣカードに入力される。これとともに、投票券発券口１１（図１）から投票券が排出される。これを受け取り、また、紙幣返却口１３から紙幣を受け取り、あるいはＩＣカードをＩＣカード挿入返却口１６から受け取ると（図５のステップ１１１）、全ての処理が終了し、ステップ１００に戻って待受画面３００（図１８）の表示状態となる。ここで、一定時間接近センサ検知がなければ、待受画面３００の表示は消える。
【００８４】
また、ステップ１００において、新たな投票カードを投票カード挿入口１０から挿入すると、この新たに挿入された投票カードに対して内容の読み取りが行なわれ、図５のステップ１０４からの上記の動作が行なわれる。
【００８５】
さらに、図３０に示す投票カード読取完了画面３３０で残金が０になった場合、即ち、全ての投票カードの処理が終わって、入金額欄３０５での入金額と購入金額欄３０７での合計購入金額とが等しく、残金欄３０８での残金が０のときには（図５のステップ１０７）、直ちに投票券発券口１１から投票券が排出され、これを顧客が受け取ると（図５のステップ１１１）、処理が終了して図５のステップ１００に戻る。
【００８６】
さらに、はじめにまとめて挿入した投票カードの読み取り後、精算ボタン３の押下前に、投票カード挿入口１０から新たな投票カードが挿入されると（図５のステップ１０７）、新たに挿入された投票券カードの読み取りが行なわれ、図５のステップ１０４からの処理に戻る。この場合、図５のステップ１０６から再び投票券情報画面の処理が始まるが、先に既に処理済みの投票券情報画面に対しては投票券情報画面の処理は行なわれない。
【００８７】
さらに、精算ボタン３の押下前に紙幣挿入口１２や硬貨挿入口１４から現金を投入したり、投票券挿入口９から的中投票券を挿入すると（図５のステップ１０７）、後述する図８に示すフローチャートに進む。
【００８８】
以上は、図５のステップ１０１で現金もしくはＩＣカードで入金してから投票券を購入するまでの動作であったが、次に、図５のステップ１０１で投票挿入口９から的中投票券を挿入した場合の動作の一具体例を図６により説明する。
【００８９】
図１８に示す待受画面３００の表示状態で（図５のステップ１００）、的中投票券を投票券挿入口９から挿入すると（図５のステップ１０１）、図６に示すフローチャートに進む。
【００９０】
図６において、挿入された的中投票券は、上記のように、投票券／マークカード読取部４３（図４）でこれが判別され、その内容の読み取りが行なわれるが（ステップ１２０）、読み取りができない場合には、後述する図１６に示すフローチャートに進む。読み取りが可能であれば、この読み取り内容が投票／運用サーバ２３を介して情報センタ２０（図３）に送られ、正しい的中投票券であるか否かの確認や的中投票券であれば、払戻金の計算が行なわれる（ステップ１２１）。そして、的中投票券（当り券）であれば、情報センタ２０からの情報により、顧客用表示画面１８（図１）に図３１に示す的中賭式画面３４０が表示される。この的中賭式画面３４０では、この的中投票券の内容（的中や返還，特払，その他の賭式など）３４１ａと払戻し金額３４１ｂとを表わす的中投票券情報画面３４１が表示され、この払戻し金額３４１ｂが金額移動マーク３４２によって残金欄３０８に残金として移される。ここでは、残金欄３０８の残金が、例えば、６７７０円となるとともに、払戻し金額欄３０６では、図示しないが、払戻しの的中投票券が１枚で払戻金が６７７０円に更新される。
【００９１】
複数枚の的中投票券が挿入された場合には、以上の払戻しの処理が的中投票券毎に行なわれ（図６のステップ１２６）、全ての的中投票券の以上の処理が終わると、図５のステップ１０２に移り、図１９に示す投票カード投入画面３１０と同様の精算ボタン押下画面が表示された状態となる（図５のステップ１０２）。この状態は、図５のステップ１０１で現金あるいはＩＣカードの残金が投入された場合とほぼ同じ状態であり、的中投票券の払戻金の合計金額が残金欄３０８に残金として表示される。
【００９２】
また、図６において、投票券挿入口９（図１）から挿入された投票券が的中投票券でなく、外れ券である場合には（ステップ１２１）、図３２に示す外れ券返却画面３５０が表示され、これとともに、この投票券が投票カード／投票券返却口８（図１）から排出される。この外れ券返却画面３５０では、この投票券を受け取るように顧客に促すメッセージ３５２ａを表わすメッセージ画面３５２が下側から投票券情報画面３５１を押し上げるように現われ、このときには、払戻金がないので、残金欄３０８の残金に変更がない。
【００９３】
このメッセージ画面３５２の指示に従ってこの投票券を顧客が受け取ると（図６のステップ１２４）、図３３に示す外れ券抜取完了画面３６０に表示が移る（図６のステップ１２５）。この外れ券抜取完了画面３６０では、白抜き矢印で示すように、メッセージ画面３５２が左方向にスクロールし、これがなくなると、次の的中投票券の処理に移る（図６のステップ１２６）。
【００９４】
また、上記の的中券の払戻しの処理を行なった場合、顧客はこの払戻金は次の投票券の購入に用いることもできるが、そのまま現金として受け取ることもできる。この場合には、図１９に示す投票カード投入画面３１０の表示状態において（図５のステップ１０２）、パネル部２（図１）での精算ボタン３を操作すればよい（図５のステップ１０３）。この場合には、図７に示すフローチャートの処理に移る。
【００９５】
図７において、精算ボタン３が操作されると、図１９に示す投票カード投入画面３１０の残金欄に表示される残金に等しい現金を計数し、これを紙幣返却口１３や硬貨返却口１５から排出するとともに、図２０で説明した現金返却画面３１５が表示される（図７のステップ１３０）。この現金を顧客が受け取ると（図７のステップ１３１）、処理は終了し、図５でのステップ１００に戻って図１８に示す待受画面３００の表示状態となる。
【００９６】
上記のように、図５において、投票カード挿入口１０から投票カードが投入されると（ステップ１０３）、その投票カードの内容が読み取られ、その読み取った内容が正常であるか否か、残金欄３０８の残金がこの投票カードで購入する投票券の購入金額以上であるか否か判定されるが（ステップ１０４）、以下では、少なくともそのいずれかが不備である場合のこの実施形態の動作について説明する。
【００９７】
図８はステップ１０４で投票カードの内容は正常であるが、残金欄３０８での残金が不足している場合の動作の一具体例を示すフローチャートである。
このような残金不足の場合には、図５におけるステップ１０４から図８に示すフローチャートへ進む。
【００９８】
図８において、まず、投票券購入に残金が不足する投票カードに対して、顧客用表示画面１８（図１）に図３４に示す残金不足画面３７０が表示される（ステップ１４０）。この残金不足画面３７０には、投票券の購入残金が不足する投票カードに対する投票券の購入金額３７０ａやその投票カードの内容３７１ｂなどが記載された残金不足投票券情報画面３７１，残金が不足していることを顧客に知らせるメッセージ３７２及び投票カードを取り消すためのカード取消ボタン３７３ａと不足金額３７３ｂとが示された選択画面３７３が表示される。
【００９９】
選択画面３７３でカード取消ボタン３７３ａがタッチ選択されると（図８のステップ１４１）、残金不足投票券情報画面３７１が不活性表示に代わり、これに対する投票カードが投票カード／投票券返却口８（図１）から返却され、次の内容を読み取った投票カードに対して図５のステップ１０４の判定処理に移る（図５のステップ１０５ａ）。
【０１００】
また、この残金不足画面３７０の表示に伴って（図８のステップ１４０）、その不足金額分を現金で紙幣挿入口１２，硬貨投入口１４から挿入すると（図８のステップ１４１）、その現金が計数されて上記の選択画面３７３での不足金額３７３ｂと比較され、挿入された現金の金額がこの不足金額以上であるときには（図８のステップ１４２）、投票カードの内容についてのデータが情報センタ２０（図３）に登録される図５のステップ１０５の処理に進み、次の内容を読み取った投票カードに対して図５のステップ１０４の判定処理に移る（図５のステップ１０５ａ）。
【０１０１】
さらに、残金不足画面３７０の表示に伴って（図８のステップ１４０）、投票券挿入口９（図１）から的中投票券を挿入し、その不足金額分をこの的中券の払戻金で補う場合には（図８のステップ１４１）、図８のステップ１４３に進む。このステップ１４３は、図１８で示す待受画面３００が表示されている状態で（図５のステップ１００）、的中投票券を投票券挿入口９（図１）から挿入した場合（図５のステップ１０１）の図６に示す動作と同じであり、図６に示すフローチャートと同様である。このため、このステップ１４３を図６のフローチャートと同じステップで表わし、その説明を省略する。
【０１０２】
ステップ１４３の処理の結果、有効な的中投票券の払戻金の総額が図３４に示した残金不足画面３７０の選択画面３７３での不足額３７３ｂ以上のときには（図８のステップ１４２）、この投票券購入のための金額が不足した投票カードの内容についてのデータが情報センタ２０（図３）に登録される図５のステップ１０５の処理に進むが、有効な的中投票券の払戻金の総額がこの不足額３７３ｂに満たない場合には（図８のステップ１４２）、図８のステップ１４０に戻って再び残金不足画面３７０が表示される。なお、以上の残金不足の場合の不足金額の補充は、１投票カード毎に行なわれることになるが、残金不足の投票カードが検出されると、この投票カードを含む未処理の有効投票カードについての不足金額の総額を求めて、これを選択画面３７３に不足額として表示するようにしてもよい。
【０１０３】
図９は、図５のステップ１０４の判定の結果、残金欄３０８での残金は不足していないが、投票カードの内容に１箇所エラーがある場合の動作の一具体例を示すフローチャートである。このような投票カードは修正可能であって、この修正処理が図９に示すフローチャートで行なわれる。
【０１０４】
図９において、まず、図３５（ａ）に示すように、確認済みの投票カードがある場合には、その投票カードに対する確認済み投票券情報画面３８１を押し上げるように、このエラーが１箇所の投票カードに対するエラー判定画面３８２が下側から上方にスクロールしながら現れる修正是非画面３８０が表示される（図９のステップ１５０）。そして、この修正是非画面３８０は、最終的には、図３５（ｂ）に示すように、エラー判定画面３８２だけが表示されたものとなる。確認済み投票券情報画面３８１は、例えば、ハッチングなどがなされることにより、確認済みの投票カードであることを明確にしている。
【０１０５】
かかるエラー判定画面３８２は、内容にエラーが１つ確認された投票カードの内容を表わすエラー投票券情報画面３８３と、エラーの内容を具体的に示すメッセージ３８４と、この投票カードの処置を選択するための選択画面３８５とからなっている。そして、エラー投票券情報画面３８３では、エラー箇所を「？」マーク３８３ａで示し、メッセージ３８３で示されるエラー箇所をさらに明確にしている。また、選択画面３８５には、修正ボタン３８５ａとカード取消ボタン３８５ｂとが示されており、顧客がこれらのいずれかを選択できるようにしている。
【０１０６】
ここで、この修正ボタン３８５ａをタッチ操作すると（図９のステップ１５１）、修正する箇所を判定し（図９のステップ１５２）、
（１）艇番号の指定にエラーがある場合には、図１０の処理に進み、
（２）式別の指定にエラーがある場合には、図１１の処理に進み、
（３）レース番号の指定にエラーがある場合には、図１２の処理に進み、
（４）開催場の指定にエラーがある場合には、図１３の処理に進む。
以下、夫々の処理動作について説明する。
【０１０７】
まず、（１）艇番号の指定にエラーがある場合、図１０において、図３６に示す艇番号修正画面３９０が表示される（ステップ１６０）。この艇番号修正画面３９０では、エラーがあった投票カードの内容とその要修正箇所を「？」マーク３９１ａで指定した修正箇所指定画面３９１と、艇番号の指定を顧客に促すメッセージ３９２と、修正操作のための選択画面３９３とからなっている。この選択画面３９３では、各艇番号が選手名とともに互いに異なる色で表示される艇番選択欄３９３ａと、式別修正ボタン３９３ｂと、戻るボタン３９３ｃとが設けられている。式別修正ボタン３９３ｂをタッチ操作すると（図１０のステップ１６１）、図１１に示す処理動作に進み、戻るボタン３９３ｃをタッチ操作すると（図１０のステップ１６１）、図９のステップ１５０に戻り、図３５（ａ），（ｂ）に示す修正是非画面３８０の表示状態となる。
【０１０８】
艇番号修正画面３９０の艇番号選択欄３９３ａから所定の艇番号をタッチ操作すると（図１０のステップ１６１）、修正箇所指定画面３９１での「？」マーク３９１ａによる要修正箇所がこの選択された艇番号に修正され、図３７に示す修正内容確認画面４００が表示される（図１０ステップ１６２）。この修正内容確認画面４００では、修正投票券情報画面４０１と顧客にこの画面４０１の内容の確認を促すメッセージ４０２と選択画面４０３とが表示される。この修正投票券情報画面４０１では、修正された部分の内容が鮮明に表示され、その他の情報内容は、金額に関する情報を除いて、ぼかして表示される（なお、ここでは、開催場とレース番号とが鮮明に表示され、艇番号がぼかして表示されているが、これはこの図３７に示す修正内容確認画面４００を他の処理動作のときの内容確認にも兼用するものであるからであり、上記のように、艇番号を修正したときには、賭式の艇番号が鮮明に表示されることになる）。また、修正に関する他の画面においても、修正部分と金額以外の内容をぼかして表示することにより、修正箇所をより明確に表示することができる。
【０１０９】
選択画面４０３では、確認ボタン４０３ａとやり直しボタン４０３ｂとが設けられており、確認ボタン４０３ａをタッチ操作すると（図１０のステップ１６３）、図３８に示すように、修正投票券情報画面４０１を除いて、修正内容確認画面４００が、例えば、白抜き矢印で示すように、左方向にスクロールして除かれる修正完了画面４１０に移り（図１０のステップ１６４）、この修正内容確認画面４００が除かれると、図９でのステップ１５２で判定された艇番号の指定のエラーが修正されたことになる。
【０１１０】
また、修正内容確認画面４００の選択画面４０３でのやり直しボタン４０３ｂをタッチ操作すると（図１０のステップ１６３）、図１０のステップ１６０に戻って図３６に示す艇番号修正画面３９０の表示状態となり、艇番号修正のやり直しをすることができる。
【０１１１】
（２）図９のステップ１５２の判定の結果、購入する式別の指定にエラーがある場合には、あるいはまた、図３６に示す艇番号修正画面３９０の選択画面３９３で式別修正ボタン３９３ｂをタッチ操作すると、図１１において、式別修正画面が表示される（ステップ１７０）。この式別修正画面は、図３６に示す艇番号修正画面３９０と同様の形式をなしているが、式別について、要修正箇所を「？」マークで示す修正箇所指定画面と、式別の指定を顧客に促すメッセージと、修正操作のための選択画面とからなり、この選択画面で各式別が互いに異なる色で表示される式別選択欄と、艇番号修正ボタンと、戻るボタンとが設けられている。そして、艇番号修正ボタンをタッチ操作すると（図１１のステップ１７１）、図１０に示す上記艇番号エラーの処理動作に進み、戻るボタンをタッチ操作すると（図１１のステップ１７１）、図９のステップ１５０に戻り、図３５（ａ），（ｂ）に示す修正是非画面３８０の表示状態となる。
【０１１２】
この式別修正画面の式別選択欄から所定の式別をタッチ操作すると（図１１のステップ１７１）、図３６で示した艇番号修正画面３９０の場合と同様、式別が修正され、図３７に示す修正内容確認画面４００が表示される（ステップ１７２）。そして、その選択画面４０３の確認ボタン４０３ａをタッチ操作すると（図１１のステップ１７３）、図３８で説明したように、修正投票券情報画面４０１のみが表示された修正完了画面４１０に移り（図１０のステップ１７４）、この修正内容確認画面４００が除かれると、図９でのステップ１５２で判定された式別の指定のエラーが修正されたことになる。
【０１１３】
また、修正内容確認画面４００の選択画面４０３でのやり直しボタン４０３ｂをタッチ操作すると（図１１のステップ１７３）、図１１のステップ１７０に戻って図３９に示す式別修正画面の表示状態となり、式別修正のやり直しをすることができる。
【０１１４】
（３）図９のステップ１５２の判定の結果、購入するレース番号の指定にエラーがある場合には、図１２において、図３９に示すレース番号修正画面４２０が表示される（ステップ１８０）。このレース番号修正画面４２０も、図３６に示す艇番号修正画面３９０と同様、要修正箇所を「？」マーク４２１ａで示す修正箇所指定画面４２１と、レース番号の指定を顧客に促すメッセージ４２２と、修正操作のための選択画面４２３とからなり、選択画面４２３では、レース番号の一覧４２３ａと、開催場修正ボタン４２３ｂと、戻るボタン４２３ｃとが設けられている。開催場修正ボタン４２３ｂをタッチ操作すると（図１２のステップ１８１）、図１３に示す開催場修正の処理動作に進み、戻るボタン４２３ｃをタッチ操作すると（図１２のステップ１８１）、図９のステップ１５０に戻り、図３５（ａ），（ｂ）に示す修正是非画面３８０の表示状態となる。
【０１１５】
レース番号修正画面４２０のレース番号一覧４２３ａから所定のレース番号をタッチ操作すると（図１２のステップ１８１）、図３６で示した艇番号修正画面３９０の場合と同様、レース番号が修正され、図３７に示すような修正内容確認画面４００が表示される（ステップ１８２）。そして、その選択画面４０３の確認ボタン４０３ａをタッチ操作すると（図１２のステップ１８３）、図３８で説明したように、修正投票券情報画面４０１のみが表示された修正完了画面４１０に移り（図１２のステップ１８４）、この修正内容確認画面４００が除かれると、図９でのステップ１５２で判定されたレース番号の指定のエラーが修正されたことになる。
【０１１６】
また、修正内容確認画面４００の選択画面４０３でのやり直しボタン４０３ｂをタッチ操作すると（図１２のステップ１８３）、図１２のステップ１８０に戻って図３９に示すレース番号修正画面４２０の表示状態となり、レース番号修正のやり直しをすることができる。
【０１１７】
（４）図９のステップ１５２の判定の結果、競艇の開催場の指定にエラーがある場合には、図１３において、図示しないが、開催場修正画面が表示される（ステップ１９０）。この開催場修正画面も、図３６に示す艇番号修正画面３９０と同様の形式をなしているが、開催場について、要修正箇所を「？」マークで示す修正箇所指定画面と、開催場の指定を顧客に促すメッセージと、修正操作のための選択画面とからなり、選択画面では、開催場の一覧と、レース番号修正ボタンと、戻るボタンとが設けられている。このレース番号修正ボタンをタッチ操作すると（図１３のステップ１９１）、図１２に示すレース番号修正の処理動作に進み、この戻るボタンをタッチ操作すると（図１３のステップ１９１）、図９のステップ１５０に戻り、図３５（ａ），（ｂ）に示す修正是非画面３８０の表示状態となる。
【０１１８】
この開催場修正画面の選択画面での開催場一覧から所定の開催場をタッチ操作して選択すると（図１３のステップ１９１）、図３６で示した艇番号修正画面３９０の場合と同様、開催場が修正され、図３７に示すような修正内容確認画面４００が表示される（ステップ１９２）。そして、その選択画面４０３の確認ボタン４０３ａをタッチ操作すると（図１３のステップ１９３）、図３８で説明したように、修正投票券情報画面４０１のみが表示された修正完了画面４１０に移り（図１３のステップ１９４）、この修正内容確認画面４００が除かれると、図９でのステップ１５２で判定された開催場の指定のエラーが修正されたことになる。
【０１１９】
また、この修正内容確認画面４００の選択画面４０３でのやり直しボタン４０３ｂをタッチ操作すると（図１３のステップ１９３）、図１３のステップ１９０に戻って上記の開催場修正画面の表示状態となり、開催場修正のやり直しをすることができる。
【０１２０】
以上のようにして、投票カードでの修正可能なエラーの修正をすることができる。
【０１２１】
次に、図３５（ｂ）に示す修正是非画面３８０の表示状態で（図９のステップ１５０）、その選択画面３８５でのカードカード取消ボタン３８５ｂをタッチ操作すると（図９のステップ１５１）、図１４の処理に進む。
【０１２２】
図１４においては、まず、この修正是非画面３８０で修正の是非を問われた投票カードの投票券／投票カード返却口８（図１）からの返却が行なわれるとともに、図４０に示す投票カード返却画面４３０が表示される（図１４のステップ２００）。投票カード返却画面４３０では、確認済みの投票カードに対する投票券情報画面４３１，４３２とともに、修正箇所が複数あるために、修正画面での修正ができない投票カードについての画面（取消投票券カード情報画面）４３３が表示される。この取消投票券カード情報画面４３３では、これを受け取るように顧客に指示するためのメッセージ４３３ａとこの取消する投票カードの画像４３３ｂとが表示される。この画像４３３ｂでは、この投票カードでの訂正を要する部分も示される。
【０１２３】
この投票カード返却画面４３０の内容を確認して、顧客が投票券／投票カード返却口８（図１）から投票カードを抜き取ると（図１４のステップ２０１）、このエラーの投票カードに対する処理が終って図９に戻る。
【０１２４】
ところで、図５のステップ１０４で投票カードの内容にエラーが１箇所あると判定された場合には、上記のように、図３５（ｂ）に示す修正是非画面３８０で修正ボタン３８５ａを選択することにより、そのエラーの修正ができる。このとき、１つの投票券カードに複数の賭式が顧客によって設定されているような場合であって、賭式のうちの１つにエラーがある場合には、エラーを含む賭式を削除する修正をすることにより、この投票カードを有効なものとすることができるようにしている。
【０１２５】
このために、このようなエラーの投票カードに対して表示される修正是非画面は（図９のステップ１５０）、図３５（ｂ）に示すような修正是非画面３８０において、選択画面３８５に、さらに、行削除ボタン（図示せず）が設けられ、この行削除ボタンがタッチ操作されると（図９のステップ１５１）、エラーと判定された賭式が削除され、かかる賭式が除去された投票カードに対する修正投票券情報画面の図３７に示すような修正内容確認画面４００が表示される（図９のステップ１５３）。この修正内容確認画面４００では、この場合も、上記と同様、その修正内容を確認することができるし、また、修正のやり直しもすることができる（図９のステップ１５４）。
【０１２６】
以上の図９に示すフローチャートの動作は、図５において、残金は不足しないで投票券が購入可能であるが、エラーが１箇所で修正可能な内容の投票カードに対するものであった。次に、残金が不足しないで投票券が購入可能であるが、エラーが複数箇所あって、修正画面での修正が不能な内容の投票カードに対する処理動作について説明する。一人当りの端末の占有時間を短くするために、このような投票カードの修正は画面では行なわないようにしている。
【０１２７】
図５のステップ１０４でこのように判定された投票カードに対しては、図１５に示す処理動作が行なわれる。図１５においては、まず、この投票カードが投票券／投票カード返却口８（図１）から排出されるとともに、図４０で説明した投票カード返却画面４３０が表示される（図１５のステップ２１０）。そして、この投票カード返却画面４３０の内容を確認して、顧客が投票券／投票カード返却口８（図１）から投票カードを抜き取ると（図１５のステップ２１１）、このエラーの投票カードに対する処理が終る。
【０１２８】
ところで、図１９で示す投票カード投入画面３１０による投票カードの挿入指示に対し（図５のステップ１０２）、投票カード挿入口１０（図１）から誤ってマーク付けが不完全な投票カードを挿入する場合もあるし、うっかりして投票券などの投票カード以外のカードを挿入する場合もある。投票カード投入画面３１０による投票カードの挿入指示に対して、このように、誤ったカードが投票カード挿入口１０から挿入されると、その内容の読み取りが不能と判定され（図５のステップ１０４）、図１６の処理に進む。
【０１２９】
また、図５のステップ１０４で全て正常と判定された投票カードに対しても、あるいはまた、残金不足であったが、入金が追加された投票カード、内容が修正された投票カードに対しても、その登録されるべき内容などのデータが情報センタ２０（図３）で登録不可と判定された場合には（図５のステップ１０５）、同様に、図１６の処理に進む。
【０１３０】
図１６においては、まず、この誤ったカードもしくはデータ登録が不能な投票カードは投票カード／投票券返却口８（図１）から排出され、これとともに、顧客用表示画面１８（図１）にＮＧカード返却画面が表示される（図１６のステップ２２０）。このＮＧカード返却画面は、図示しないが、顧客に内容を読み取れないなどの返却の理由やそれを受け取ることを顧客に促すメッセージなどからなるものであって、かかるカードを顧客が抜き取ることにより（図１６のステップ２２１）、このＮＧカード返却画面の表示が終わって処理が終了する。
【０１３１】
図５のステップ１０４の以上の判定（即ち、投票カードの内容と残金とがともに正常、投票カードの内容で残金不足、残金正常で投票カードの内容に１箇所エラー（修正可能）、残金正常で投票カードの内容に複数箇所エラー（修正不能）、誤ったカードの挿入）に伴う上記の図８〜図１６による処理動作は、夫々の投票カードからその内容が読み取られる毎に行なわれるものであって、有効に投票カード毎にこの処理動作の終了毎に、図５において、情報センタ２０（図３）に登録されるステップ１０５の処理に進むものであるが、挿入された全ての投票カードのうちのエラーを有する投票カードについて上記の修正や返却，誤ったカードの返却が行なわれた後、有効な全投票カードの内容についてのデータが、図５において、情報センタ２０（図３）に登録されるステップ１０５の処理に進む。
【０１３２】
なお、図１８で示す待受画面３００の指示により（図５のステップ１００）、投票券挿入口９（図１）から内容の読み取りが不能な投票券や投票券以外のカードなど誤ったカードが投入された場合でも（図５のステップ１０１）、図６に示す処理に進むが、この場合には、この誤ったカードに対して読み取り不能と判定され（図６のステップ１２０）、上記の図１６に示す処理がなされてこのカードが返却され、図６のステップ１２６から図５の（ステップ）１０２に進むことになる。
【０１３３】
また、図１９に示す投票カード投入画面３１０の指示に従って投入した投票カードに対し、その内容は正常であるが、残金が不足との判定がなされた場合には（図５のステップ１０４）、図８に示す処理に進むが、このとき、図３４に示す残金不足画面３７０による指示に従って（図８のステップ１４０）、投票券挿入口９から的中投票券としてカードを挿入したところ（図８のステップ１４１）、このカードの内容を読み取ることができない場合も（図８のステップ１２０）、上記の図１６に示す処理がなされてこのカードが返却され、しかる後、図８のステップ１２６に進むことになる。
【０１３４】
さらに、図２１〜図２９に示す購入賭式画面３２０の表示中に（図５のステップ１０６）、紙幣挿入口１２や硬貨挿入口１４（図１）からの現金による入金、もしくはＩＣカード挿入／返却口１６からのＩＣカードによる入金を行なった場合には（図５のステップ１０７）、図１７に示す処理に進む。この図１７に示す処理は、ステップ２３０，２３１とからなるものであるが、このステップ２３０は図８でのステップ１４１に、ステップ２３１は同じくステップ１４３に夫々相当するものである。即ち、ステップ２３０で入金が現金によるものであるか、的中投票券によるものであるかが判定され、ステップ２３１で的中券として投入された投票券が実際に当り券であるか、外れ券であるかが判定され、現金もしくは当り券の場合に入金処理がなされるものである。この図１７での処理後、図５のステップ１０７に戻る。
【０１３５】
図４１はＩＣカードを使用した場合の上記各表示画面での残金画面３０４での他の表示方法を示す図であって、４４０はＩＣカードのイメージ画像（以下、ＩＣカード画像という）であり、前出図面に対応する部分には同一符号を付けている。
【０１３６】
上記のように、例えば、図５のステップ１００での待受画面３００に対して、ＩＣカードは現金の代わりに使用することができるし、また、図７の処理で払戻金の受け取りに用いることができる。
【０１３７】
いま、例えば、図１８に示す待受画面３００の表示状態で、パネル部２のＩＣカード挿入／返却口１６からＩＣカードが挿入されると（図５のステップ１０１）、図４１（ａ）に示すように、金額表示画面３０４の残金欄３０８で輪郭だけが明示された透明なＩＣカード画像４４０が、白抜き矢印で示すように、下側から上方にスクロールしていき、図４１（ｂ）に示すように、残金欄３０８と重なった状態となる。この状態になると、ＩＣカードに蓄積されている金額から投票券購入のための入金がなされることになるが、このときには、図４１（ｃ）に示すように、ＩＣカード画像４４０が点滅や変色などして、その表示状態が変化する。入金が終了すると、入金額欄３０５，残金欄３０８の金額がこの入金額分だけ更新され、また、ＩＣカード画像４４０が透明となり、入力処理を終了する。購入または払い戻し後、精算ボタン３が押下されると、図４１（ｄ）に示すように、白抜き矢印の方向に降下して見えなくなり、ＩＣカードが排出され、抜取可能であることを示す。
【０１３８】
ＩＣカードで投票券を購入する場合や的中投票券の払戻金を受け取る場合も同様であり、ＩＣカード挿入／返却口１６からＩＣカードが挿入されるときには、図４１（ａ）の表示状態であって、挿入された後、あるいはＩＣカードが挿入されたままとなっている状態では、図４１（ａ）の表示状態となる。投票券の購入処理や、払い戻しを受けるために、図１９で示す投票カード投入画面３１０の指示に従って（図５のステップ１０２）、精算ボタン３（図１）をタッチ操作すると、投票券購入のためのＩＣカードからの引き出し処理や払戻し金のＩＣカードへの入金処理が行なわれて残金が更新され、このときには、図４１（ｃ）の表示状態となる。そして、かかる処理が終了してＩＣカードが排出されると、図４１（ｄ）の表示状態となる。
【０１３９】
このようにして、ＩＣカードが実際に使用されているか否かを顧客は簡単に確認することができる。
【０１４０】
ところで、ＩＣカードを用いて投票券を購入する場合、ＩＣカードの残金が投票券を購入するのに不足している場合には、図４２（ａ）に示す残金不足通知画面４５０が表示される。この残金不足通知画面４５０は、図３４に示した残金不足画面３７０とほぼ同様であって、この場合、ＩＣカードが使用されているので、図４１で説明したように、ＩＣカード画像４４０が金額表示画面の残金欄３０８に重なって表示され、ＩＣカードの残金が不足していることから、ＩＣカードの残金が不足している旨のメッセージ４５２と選択画面４５３とが表示される。このとき、残金不足通知画面４５０では、ＩＣカードでは購入できない投票カードに対する残金不足投票券画面４５１も表示されている。なお、ここでは、残金不足投票券画面４５１の投票券購入金額が５１００円であるのに対し、２０００円不足しており、このとき、ＩＣカードの残金は０円であって、残金欄３０８で残金が３１００であることを示している。
【０１４１】
選択画面４５３では、不足金額（＝２０００円）４５３ｂとカード取消ボタン４５３ｂと購入する場合には現金を投入することを指示するメッセージ４５３ｃとが表示され、顧客が投票券の購入をキャンセルするか、現金を投入して購入するかを選択できるようにしている。
【０１４２】
また、このように、ＩＣカードの残金が不足している場合には、残金不足通知画面４５０の金額表示画面３０４のみを表わしている図４２（ｂ）に示すように、ＩＣカード画像４４０が残金欄３０８に対して少し下がって表示され、これとともに、このＩＣカード画像４４０は予め決められた色彩で表示され、ＩＣカードの残金が０円であることが示される。
【０１４３】
また、的中投票券による払戻金をＩＣカードで受け取ることもできるが、この払戻金がＩＣカードの入金限度額を越えると、図４３に示す限度額通知画面４６０が表示される。この限度額通知画面４６０では、払い戻しをしている的中投票券の画面４６１とＩＣカードが限度額となって残りは現金で払い戻す旨のメッセージ４６２が表示される。また、金額表示画面３０４では、残金欄３０８にＩＣカードに入力できない残金が表示されるとともに、ＩＣカード画像４４０が残金欄３０８に対して少し下がって表示され、これとともに、このＩＣカード画像４４０は予め決められた色彩で表示され、ＩＣカードが限度額の状態であることが示される。
【０１４４】
また、投票券を購入するために、ＩＣカードで投票券を購入する場合、このＩＣカードが限度額いっぱいであるときには、図４４（ａ）に示す購入賭式画面４７０が表示される。この購入賭式画面４７０は、図２３で示した購入賭式画面３２０と同様であるが、金額表示画面３０４の残金欄３０８にＩＣカード画像４４０が重ねて表示されており、かつこのＩＣカード画像４４０が特定の色彩で表示されてＩＣカードが限度額いっぱいであることが示される。
【０１４５】
そして、このＩＣカードの残金が入金されて残金欄３０８の残金が、例えば、４７，０００円となり、投票券画面４７１の投票券購入の処理がなされると、金額移動マーク４７２によって残金欄３０８から投票券画面４７１にその購入金額（例えば、３，０００円）が移動するように示される。これにより、残金欄３０８での残金はＩＣカードによる入金額から投票券購入金額を差し引いた金額（即ち、４４，０００円）となるが、この金額はＩＣカードの限度額ではないので、ＩＣカード画像４４０が、図４４（ｂ）に示すように、着色されない通常の使用中の表示状態となる。
【０１４６】
また、的中投票券の払い戻しをＩＣカードで受ける場合、ＩＣカードに残金がない（即ち、残金＝０円）ときには、図４５（ａ）に示すような的中賭式画面４８０が表示される。この的中賭式画面４８０は、的中投票券に関する的中投票券情報画面４８１が表示され、金額移動マーク４８２により、的中投票券の払戻し金が金額表示画面３０４の残金欄３０８に移されるように表わされて、図３１に示した的中賭式画面３４０と同様であるが、このとき、この払戻し金を受け取るＩＣカードが残金０円の状態であると、ＩＣカード画像４４０が残金欄３０８に対して少し下がり、かつ特定の決められた色彩で表示された状態にあって、ＩＣカードの残金が０円であることが示される。
【０１４７】
払戻し金のＩＣカードへの入金が終わると、図４５（ｂ）に示すように、着色されない通常の使用中の表示状態となる。
【図面の簡単な説明】
【０１４８】
【図１】本発明による自動発払機の一実施形態を示す外観斜視図である。
【図２】図１におけるパネル部での各挿入口，返却口などの精算ボタンに対する相対的な配置を概略的に示す図である。
【図３】図１に示す実施形態を用いた競艇システムの一具体例を示すシステム図である。
【図４】図１における実施形態の内部回路構成の一具体例を示すブロック図である。
【図５】図１に示す実施形態の全体の動作の一具体例を示すフローチャートである。
【図６】図５におけるステップ１０１で的中投票券を投入した場合の動作の一具体例を示すフローチャートである。
【図７】図５におけるステップ１０３で精算ボタンを操作した場合の動作の一具体例を示すフローチャートである。
【図８】図５のステップ１０４で投票カードの内容は正常であるが、残金が不足していると判定された場合の動作の一具体例を示すフローチャートである。
【図９】図５のステップ１０４で残金が不足していないが、投票カードの内容に１箇所エラーがあると判定された場合の動作の一具体例を示すフローチャートである。
【図１０】図９のステップ１５２で艇番号の指定にエラーがある場合の動作の一具体例を示すフローチャートである。
【図１１】図９のステップ１５２で賭式の指定にエラーがある場合の動作の一具体例を示すフローチャートである。
【図１２】図９のステップ１５２でレース番号の指定にエラーがある場合の動作の一具体例を示すフローチャートである。
【図１３】図９のステップ１５２でレース番号の指定にエラーがある場合の動作の一具体例を示すフローチャートである。
【図１４】図９のステップ１５２で開催場の指定にエラーがある場合の動作の一具体例を示すフローチャートである。
【図１５】図５のステップ１０４で投票カードの内容に複数のエラーがあると判定された場合の動作の一具体例を示すフローチャートである。
【図１６】図５のステップ１０４で返却するカードと判定された場合の動作の一具体例を示すフローチャートである。
【図１７】図５のステップ１０７で現金または的中投票券が投入されたと判定されたときの動作の一具体例を示すフローチャートである。
【図１８】図５のステップ１００で表示される待受画面の一具体例を示す図である。
【図１９】図５のステップ１０２で表示される投票カード投入画面の一具体例の投票カード挿入位置の概略を指示した状態を示す図である。
【図２０】図７のステップ１３０で表示される現金返却画面の一具体例を示す図である。
【図２１】図５のステップ１０６で表示される購入賭式画面の一具体例の最初の表示状態を示す図である。
【図２２】購入賭式画面の図２１に示す表示状態に続く１枚目の投票カードに対する投票券情報画面を表示した状態を示す図である。
【図２３】購入賭式画面での図２２に示す表示状態に続いて１枚目の投票カードに対して残金を精算している状態を示す図である。
【図２４】購入賭式画面での図２３に示す表示状態に続いて１枚目の投票カードに対して残金の精算が終了した状態を示す図である。
【図２５】購入賭式画面での図２４に示す表示状態に続いて２枚目の投票カードに対する投票券情報画面が表示され始めた状態を示す図である。
【図２６】購入賭式画面での図２５に示す表示状態後の３枚目の投票カードに対する投票券情報画面に対し、残金の精算を行なう直前の状態を示す図である。
【図２７】図５のステップ１０６で表示される購入賭式画面で６枚目の投票カードに対する投票券情報画面が表示された状態を示す図である。
【図２８】図５のステップ１０６で表示される購入賭式画面で３着流しの投票カードに対する投票券情報画面が表示された状態を示す図である。
【図２９】図５のステップ１０６で表示される購入賭式画面でボックスの投票カードに対する投票券情報画面が表示された状態を示す図である。
【図３０】図５のステップ１０８で表示される投票カード読取完了画面の一具体例を示す図である。
【図３１】図６のステップ１２２で表示される的中賭式画面の一具体例を示す図である。
【図３２】図６のステップ１２３で表示される外れ券返却画面の一具体例を示す図である。
【図３３】図６のステップ１２５で表示される外れ券抜取完了画面の一具体例を示す図である。
【図３４】図８のステップ１４０で表示される現金不足画面の一具体例を示す図である。
【図３５ａ】図９のステップ１５０で表示される修正是非画面の一具体例のエラー判定画面が現われてくる状態を示す図である。
【図３５ｂ】図９のステップ１５０で表示される修正是非画面の一具体例のエラー判定画面が表示された状態を示す図である。
【図３６】図１０のステップ１６０で表示される艇番号修正画面の一具体例を示す図である。
【図３７】図１０のステップ１６２などで表示される修正内容確認画面の一具体例を示す図である。
【図３８】図３７に示す修正内容確認画面で確認ボタンが操作されたときの修正完了画面の一具体例をを示す図である。
【図３９】図１２のステップ１８０で表示されるレース番号修正画面の一具体例を示す図である。
【図４０】図１４のステップ２００で表示される投票カード返却画面の一具体例を示す図である。
【図４１】図１に示す実施形態でＩＣカードを用いた場合の金額表示画面での一具体例を示す図である。
【図４２】図１に示す実施形態でＩＣカードによる入金額が不足した場合の残金不足画面の一具体例を示す図である。
【図４３】図１に示す実施形態でＩＣカードに的中投票券の払い戻し金を払い戻す場合の限度額通知画面の一具体例を示す図である。
【図４４】図１に示す実施形態で限度額いっぱいのＩＣカードで投票券を購入する場合の購入賭式画面の一具体例を示す図である。
【図４５】図１に示す実施形態で残金０円のＩＣカードに的中投票券の払戻し金を払い戻す場合の的中賭式画面の一具体例を示す図である。
【符号の説明】
【０１４９】
１  自動発払機
２  パネル部
３  精算ボタン
４  券挿入・返却エリア
５  発券エリア
６  入金・返却エリア
７ａ，７ｂ  境界溝
８  投票カード／投票券返却口
９  投票券挿入口
１０  投票カード挿入口
１１  投票券発券口
１２  紙幣挿入口
１３  紙幣返却口
１４  硬貨投入口
１５  硬貨返却口
１６  ＩＣカード挿入／返却口
１７  テーブル部
１８  操作画面
８ａ，９ａ，１０ａ，１１ａ，１２ａ，１４ａ  フリッカーランプ
３００  待受画面
３０４  金額表示画面
３０５  入金欄
３０６  払戻金額欄
３０７  購入金額欄
３０８  残金欄
３１０  投票カード投入画面
３１５  現金返却画面
３２０  購入賭式画面
３２１，３２３〜３２８  投票券情報画面
３３０  投票カード読取完了画面
３４０  的中賭式画面
３５０  外れ券返却画面
３６０  外れ券抜取完了画面
３７０  現金不足画面
３８０  修正是非画面
３９０  艇番号修正画面
４００  修正内容確認画面
４１０  修正完了画面
４２０  レース番号修正画面
４３０  投票カード返却画面
４４０  ＩＣカード画像
４５０  残金不足通知画面
４６０  限度額通知画面
４７０  購入賭式画面
４８０  的中賭式画面
【図１】
2006313577.tif 000003
【図２】
2006313577.tif 000004
【図３】
2006313577.tif 000005
【図４】
2006313577.tif 000006
【図５】
2006313577.tif 000007
【図６】
2006313577.tif 000008
【図７】
2006313577.tif 000009
【図８】
2006313577.tif 000010
【図９】
2006313577.tif 000011
【図１０】
2006313577.tif 000012
【図１１】
2006313577.tif 000013
【図１２】
2006313577.tif 000014
【図１３】
2006313577.tif 000015
【図１４】
2006313577.tif 000016
【図１５】
2006313577.tif 000017
【図１６】
2006313577.tif 000018
【図１７】
2006313577.tif 000019
【図１８】
2006313577.tif 000020
【図１９】
2006313577.tif 000021
【図２０】
2006313577.tif 000022
【図２１】
2006313577.tif 000023
【図２２】
2006313577.tif 000024
【図２３】
2006313577.tif 000025
【図２４】
2006313577.tif 000026
【図２５】
2006313577.tif 000027
【図２６】
2006313577.tif 000028
【図２７】
2006313577.tif 000029
【図２８】
2006313577.tif 000030
【図２９】
2006313577.tif 000031
【図３０】
2006313577.tif 000032
【図３１】
2006313577.tif 000033
【図３２】
2006313577.tif 000034
【図３３】
2006313577.tif 000035
【図３４】
2006313577.tif 000036
【図３５ａ】
2006313577.tif 000037
【図３５ｂ】
2006313577.tif 000038
【図３６】
2006313577.tif 000039
【図３７】
2006313577.tif 000040
【図３８】
2006313577.tif 000041
【図３９】
2006313577.tif 000042
【図４０】
2006313577.tif 000043
【図４１】
2006313577.tif 000044
【図４２】
2006313577.tif 000045
【図４３】
2006313577.tif 000046
【図４４】
2006313577.tif 000047
【図４５】
2006313577.tif 000048